(57)【要約】
【課題】  メモリカードアダプタの提供。
【解決手段】  絶縁ケース及び絶縁ケースの収容空間内に収容されたスライドシートで組成され、絶縁ケースの収容空間に開口が設けられ、収容空間の該開口から離れた別端に一組の端子が設けられ、スライドシートの端子に対応する開口底面末端部分に第１当接面があり、該第１当接面から離れた別側に少なくとも一つの当接面があり、絶縁ケースに少なくとも一組の端子が設けられ、異なる形式のメモリカードがスライドシートの任意の当接面を押動してスライドシートの絶縁ケースの収容空間部分における移動量により対応する形式のメモリカードの金属接点をそのうち一組の端子と電気的に接触させ、且つメモリカードの二次押圧により循環してスライドシートを絶縁ケースの収容空間内で前後に移動させ、異なる形式のメモリカードとの電気的接触とメモリカードの自動圧入、退出の目的を達成する。
【選択図】        図１
0003100718.tif 000002
【実用新案登録請求の範囲】
【請求項１】
異なる形式のメモリカードが挿入されてメモリカードと電気的接触を形成すると共にメモリカードの自動圧入、退出の機能を具えたメモリカードアダプタにおいて、絶縁ケースと該絶縁ケースの収容空間内に収容されたスライドシートで組成され、
該絶縁ケースに開口を具えた収容空間が設けられ、収容空間の該開口から離れた別側末端に一組の端子が設けられ、収容空間の開口近くに少なくとも一組の端子が設けられ、収容空間の開口両側に異なる形式のメモリカードの挿入に供される複数の案内溝が設けられ、
該スライドシートが該絶縁ケースの該収容空間内に設置され、該スライドシートの底面末端に第１当接面が設けられ、該第１当接面より離れた別側に少なくとも一つの当接面が設けられ、異なる形式のメモリカードがスライドシートの任意の一つの当接面を押動してスライドシートを絶縁ケースの収容空間において移動させる量により、対応する形式のメモリカードの金属接点をそのうちの一組の端子と電気的に接触させることを特徴とする、メモリカードアダプタ。
【請求項２】
請求項１記載のメモリカードアダプタにおいて、スライドシートの両側に後ろ向きのバネが設置され、且つバネの別端が絶縁ケースの収容空間の開口より離れた別側に当接し、スライドシートの後側に、上方に凸柱を具えた押動ブロックが設けられ、絶縁ケースの底面に凸柱に対応するレールが設けられ、バネの弾力により押動ブロックの凸柱がレール内で位置決め或いはスライド状態を形成し、バネが圧縮及び回復の状態を現出することを特徴とする、メモリカードアダプタ。
【請求項３】
請求項１記載のメモリカードアダプタにおいて、第１当接面より離れた別側の当接面が第２当接面とされ、且つ第２当接面が収容空間の開口近くに対応して設置された一組の端子の二側に設置されたことを特徴とする、メモリカードアダプタ。
【請求項４】
請求項１記載のメモリカードアダプタにおいて、第１当接面より離れた別側の当接面が第３当接面とされ、且つ第３当接面が収容空間の開口近くに対応して設置された一組の端子の二側に設置されたことを特徴とする、メモリカードアダプタ。
【請求項５】
請求項１記載のメモリカードアダプタにおいて、絶縁ケースの案内溝外側上面に滑り溝が凹設され、スライドシートの両側に外向きに滑り溝に対応するスライド面が延設され、スライド面が滑り溝の表面にあって限位されスライドすることを特徴とする、メモリカードアダプタ。
【請求項６】
請求項１記載のメモリカードアダプタにおいて、各組の端子に接続端とはんだ付け端が設けられ、接続端が絶縁ケースの収容空間内に位置し、はんだ付け端が絶縁ケースの外側に延伸されて基板とのはんだ付けに供されることを特徴とする、メモリカードアダプタ。
【考案の詳細な説明】
【技術分野】
【０００１】
本考案は一種のメモリカードアダプタに係り、特に、異なる形式のメモリカードとの電気的接触とメモリカードの自動圧入、退出の目的を達成するメモリカードアダプタに関する。
【背景技術】
【０００２】
現在、コンピュータテクノロジーは急速に成長し、コンピュータは、演算機能が強く、速度が速い方向に向けて発展している。コンピュータ、電子辞書等でメモリ、ネットワークカード、モデム、ＳＣＳＩ設備（例えば高容量ハードディスク、スキャナ）の拡充に使用されるメモリカードの典型的な形式は、ＰＣＭＣＩＡ（Ｐｅｒｓｏｎａｌ  Ｃｏｍｐｕｔｅｒ  ｍｅｍｏｒｙ  Ｃａｒｄ  Ｉｎｔｅｒｎａｔｉｏｎａｌ  Ａｓｓｏｃｉａｔｉｏｎ）であり、一般にＰＣＭＣＩＡはその他のインタフェースに変換できる設計、例えばＰＣＭＣＩＡからＳＣＳＩ、ＰＣＭＣＩＡからＩＤＥ等を有し、いずれもノートブック型コンピュータをパーソナルコンピュータの多種のインタフェース装置に使用可能とし、大部分のノートブック型コンピュータは、プラグアンドプレイの能力をサポートし、再起動しなくとも直接使用できるホットプラグ機能をサポートしているものもある。また、他の異なる形式のメモリカードはＰＤＡ及びパームトップ型電子辞書等の装置に使用されている。ゆえに、ＰＣＭＣＩＡのメモリカード形式のほか、現在、市場にはＭＭＣ（ＭｕｌｔｉＭｅｄｉａ  Ｃａｒｄ）、ＣＦ（ＣｏｍｐａｃｔＦｌａｓｈ）（登録商標）カード、ＳＭ（ＳｍａｒｔＭｅｄｉａ（登録商標））カード、ＭＳ（ＭｅｍｏｒｙＳｔｉｃｋ）カード、ＳＤ（Ｓｅｃｕｒｅ  Ｄｉｇｉｔａｌ）メモリカード等がある。
【０００３】
さらに、伝統的なメモリカードとアダプタの位置決め構造は、アダプタケースが基板に固定され、さらにメモリカードがアダプタ中に挿入され、メモリカードとアダプタの係止接続の目的が達成され、且つ各種のメモリカードの形式は異なり、その外観寸法及び形状にも差があるため、異なる形式のメモリカードはその形式に符合する特定形式のアダプタに挿入しなければ、アダプタがメモリカード中の記憶データを読み取れず、このようなメモリカードとアダプタの挿入接続の方式は、使用時にアダプタ規格の制限を受け、異なるメモリカードとの交換使用はできない。このため基板上に複数種類の異なる形式のアダプタを設置しなければならず、そのために基板の面積が拡大され、占用の空間も増加し、基板が使用時に体積、空間サイズの多くの制限を受けることになる。且つアダプタの内部の端子の設置には、上下交錯重畳方式が採用され、複数の端子が配列されている。しかしこのような端子配列方式は比較的大きな空間位置を必要とし、アダプタの厚さを増し、体積を増し、使用時に多くの空間を占用する。即ち上述の周知のアダプタとメモリカードの多くの制限の発生する多種類の欠点と不便を解決することが求められている。
【考案の開示】
【考案が解決しようとする課題】
【０００４】
本考案は一種のメモリカードアダプタを提供することを課題とし、それは、複数種類の形式のメモリカードを挿入でき、異なる形式のメモリカードと電気的接触を形成でき、及びメモリカードの自動圧入、退出を行なえるメモリカードアダプタである。
【０００５】
本考案のメモリカードアダプタは、絶縁ケースに収容空間が設けられ、該収容空間末端に一組の端子が設けられ、スライドシートが収容空間内に設置され、且つスライドシートの底面に第１当接面が設けられ、並びに第１当接面から離れた別側に少なくとも一つの当接面が設けられ、且つ絶縁ケースに一組以上の端子が設けられ、異なる形式のメモリカードがスライドシートに挿入される時、スライドシートの任意の一つの当接面が絶縁ケースの収容空間部分で適当な距離を押動させられ、これにより異なる形式のメモリカードの接点が対応する端子セットと電気的接触を形成し、且つメモリカードの二次押圧によりスライドシートが循環して絶縁ケースの収容空間内で前後に移動動作し、異なる形式のメモリカードの挿入により電気的接触を形成できメモリカードの自動圧入及び退出の目的を達成する。
【課題を解決するための手段】
【０００６】
請求項１の考案は、異なる形式のメモリカードが挿入されてメモリカードと電気的接触を形成すると共にメモリカードの自動圧入、退出の機能を具えたメモリカードアダプタにおいて、絶縁ケースと該絶縁ケースの収容空間内に収容されたスライドシートで組成され、
該絶縁ケースに開口を具えた収容空間が設けられ、収容空間の該開口から離れた別側末端に一組の端子が設けられ、収容空間の開口近くに少なくとも一組の端子が設けられ、収容空間の開口両側に異なる形式のメモリカードの挿入に供される複数の案内溝が設けられ、
該スライドシートが該絶縁ケースの該収容空間内に設置され、該スライドシートの底面末端に第１当接面が設けられ、該第１当接面より離れた別側に少なくとも一つの当接面が設けられ、異なる形式のメモリカードがスライドシートの任意の一つの当接面を押動してスライドシートを絶縁ケースの収容空間において移動させる量により、対応する形式のメモリカードの金属接点をそのうちの一組の端子と電気的に接触させることを特徴とする、メモリカードアダプタとしている。
請求項２の考案は、請求項１記載のメモリカードアダプタにおいて、スライドシートの両側に後ろ向きのバネが設置され、且つバネの別端が絶縁ケースの収容空間の開口より離れた別側に当接し、スライドシートの後側に、上方に凸柱を具えた押動ブロックが設けられ、絶縁ケースの底面に凸柱に対応するレールが設けられ、バネの弾力により押動ブロックの凸柱がレール内で位置決め或いはスライド状態を形成し、バネが圧縮及び回復の状態を現出することを特徴とする、メモリカードアダプタとしている。
請求項３の考案は、請求項１記載のメモリカードアダプタにおいて、第１当接面より離れた別側の当接面が第２当接面とされ、且つ第２当接面が収容空間の開口近くに対応して設置された一組の端子の二側に設置されたことを特徴とする、メモリカードアダプタとしている。
請求項４の考案は、請求項１記載のメモリカードアダプタにおいて、第１当接面より離れた別側の当接面が第３当接面とされ、且つ第３当接面が収容空間の開口近くに対応して設置された一組の端子の二側に設置されたことを特徴とする、メモリカードアダプタとしている。
請求項５の考案は、請求項１記載のメモリカードアダプタにおいて、絶縁ケースの案内溝外側上面に滑り溝が凹設され、スライドシートの両側に外向きに滑り溝に対応するスライド面が延設され、スライド面が滑り溝の表面にあって限位されスライドすることを特徴とする、メモリカードアダプタとしている。
請求項６の考案は、請求項１記載のメモリカードアダプタにおいて、各組の端子に接続端とはんだ付け端が設けられ、接続端が絶縁ケースの収容空間内に位置し、はんだ付け端が絶縁ケースの外側に延伸されて基板とのはんだ付けに供されることを特徴とする、メモリカードアダプタとしている。
【考案の効果】
【０００７】
本考案は複数種類の形式のメモリカードを挿入でき、異なる形式のメモリカードと電気的接触を形成でき、及びメモリカードの自動圧入、退出を行なえるメモリカードアダプタを提供している。
【考案を実施するための最良の形態】
【０００８】
図１、２、３に示されるのは、本考案の分解斜視図、斜視図及びＭＳ型メモリカードを挿入する前の平面図である。図示されるように、本考案は絶縁ケース１とスライドシート２で組成されている。
【０００９】
該絶縁ケース１には座体１１とカバー板１２が設けられ、該座体１１に開口を具えた収容空間１１０が形成され、並びに収容空間１１０の開口より離れた別側末端に一組の端子１０及びその二側の案内柱１１１２が設けられ、並びに収容空間１１０の開口両側に異なる形式のメモリカード３の挿入に供される複数の案内溝１１１が凸設され、且つ各案内溝１１１の外側上面に滑り溝１１１１が凹設されている。また、カバー板１２が絶縁ケース１の上方を被覆し、カバー板１２に二組の端子１０が嵌設され、且つカバー板１２の底面にレール１２１が設けられている。
【００１０】
該スライドシート２は絶縁ケース１の収容空間１１０内に収容され、且つスライドシート２の両側に外向きに、滑り溝１１１１に対応するスライド面２１が延設され、スライド面２１が滑り溝１１１１の表面に限位されてスライドし、並びにスライドシート２の内側に第１当接面２２が設けられ、並びに第１当接面２２より離れた別側に第２当接面２３と第３当接面２４が設けられ、各当接面がいずれも異なる形式、サイズのメモリカード３の保持に供され、且つスライドシート２の後側に上方に凸柱２５１を具えた押動ブロック２５が設けられ、並びに押動ブロック２５の両側に後ろ向きのバネ２６が設けられ、且つバネ２６の別端が絶縁ケース１の収容空間１１０の開口より離れた別側末端に当接する。このバネ２６の弾力により押動ブロック２５の凸柱２５１がレール１２１内で位置決め或いはスライド状態を形成し、同時にそのバネ２６が案内柱１１１２の限位により案内柱１１１２上で圧縮及び回復の状態を現出し、異なる形式のメモリカード３の挿入時の電気的接触及びメモリカードの自動圧入、退出を達成する。
【００１１】
さらに、上述の各組の端子１０には接続端１０１とはんだ付け端１０２が設けられ、且つ接続端１０１は絶縁ケース１の収容空間１１０内に位置し、はんだ付け端１０２は絶縁ケース１の外側に延伸され、基板にはんだ付けされる。また、上述の収容空間１１０の開口より離れた別側末端に一組の端子１０が設けられ、この一組の端子１０のはんだ付け端１０２は絶縁ケース１の後側に延伸され、収容空間１１０の開口に接近する二組の端子１０のはんだ付け端１０２はそれぞれ折り曲げられカバー板１２の二側及び前端に延伸され、これにより絶縁ケース１の各組の端子１０が基板にはんだ付けされる。
【００１２】
図３、４、５及び図６は本考案のＭＳ型メモリカードを挿入する前の平面図、側面断面図、ＭＳ型メモリカード挿入後の平面図及び側面断面図である。該ＭＳ型メモリカード３は絶縁ケース１の前側の案内溝１１１部分よりスライドシート２内に挿入され、ＭＳ型メモリカード３の前端が第１当接面２２に接触した後、スライドシート２のスライド面２１を滑り溝１１１１の表面に沿ってスライドさせ、定位まで押動した時、ＭＳ型メモリカード３の複数の金属接点３１が収容空間１１０の開口より離れた別側末端の端子１０と電気的接触を形成し、並びにバネ２６の弾力により押動ブロック２５の凸柱２５１がレール１２１内で定位状態を形成し、さらにメモリカード３が一度押される時、凸柱２５１がレール１２１内でスライド状態を形成し、釈放後、バネ２６の回復弾力によりスライドシート２内部のメモリカード３外側が絶縁ケース１の収容空間１１０開口外側に退出し、こうしてメモリカード３の二度の押圧により循環が形成されてメモリカードの自動圧入、退出の目的が達成される。
【００１３】
図７、図８、図９、図１０は、本考案のＳＤ型メモリカードを挿入前の平面図、側面断面図、ＳＤ型メモリカードを挿入後の平面図、側面断面図である。ＳＤ型メモリカード３は絶縁ケース１の前側の案内溝１１１部分よりスライドシート２内部に挿入され、ＳＤ型メモリカード３の前端が第２当接面２３に接触した後、スライドシート２のスライド面２１を滑り溝１１１１の表面に沿ってスライドさせ、定位まで押動した時、ＳＤ型メモリカード３の複数の金属接点３１がカバー板１２の対応する端子１０と電気的接触を形成し、並びにバネ２６の弾力により押動ブロック２５の凸柱２５１がレール１２１内で定位状態を形成し、さらにメモリカード３が一度押されると、メモリカード３が退出し、こうしてメモリカード３の二度の押圧により循環が形成されてメモリカードの自動圧入、退出の目的が達成される。
【００１４】
図１１、図１２、図１３、図１４は、本考案のＸＤ型メモリカードを挿入前の平面図、側面断面図、ＸＤ型メモリカードを挿入後の平面図、側面断面図である。ＸＤ型メモリカード３は絶縁ケース１の前側の案内溝１１１部分よりスライドシート２内部に挿入され、ＸＤ型メモリカード３の前端が第３当接面２４に接触した後、スライドシート２のスライド面２１を滑り溝１１１１の表面に沿ってスライドさせ、定位まで押動した時、ＸＤ型メモリカード３の複数の金属接点３１がカバー板１２の対応する端子１０と電気的接触を形成し、並びにバネ２６の弾力により押動ブロック２５の凸柱２５１がレール１２１内で定位状態を形成し、さらにメモリカード３が一度押されると、メモリカード３が退出し、こうしてメモリカード３の二度の押圧により循環が形成されてメモリカードの自動圧入、退出の目的が達成される。
【００１５】
以上は本考案の好ましい実施例であり、本考案の請求範囲を限定するものではなく、本考案のスライドシートには二つ或いは二つ以上の当接面及び二つ或いは二つ以上の異なるメモリカードと電気的接触を形成可能な対応端子を設置可能で、その当接面及び各端子の設置は使用者の必要或いは設計の違いにより少なくとも二組が設けられる方式で実施され、ゆえに前述の効果を達成しうる形式はいずれも本考案の請求範囲に属するものとする。
【００１６】
総合すると、本考案のメモリカードアダプタは使用時に予期された機能と目的を達成し、ゆえに実用性に優れた考案である。
【図面の簡単な説明】
【００１７】
【図１】本考案の分解斜視図である。
【図２】本考案の斜視図である。
【図３】本考案のＭＳ型メモリカード挿入前の平面図である。
【図４】本考案のＭＳ型メモリカード挿入前の側面断面図である。
【図５】本考案のＭＳ型メモリカード挿入後の平面図である。
【図６】本考案のＭＳ型メモリカード挿入後の側面断面図である。
【図７】本考案のＳＤ型メモリカード挿入前の平面図である。
【図８】本考案のＳＤ型メモリカード挿入前の側面断面図である。
【図９】本考案のＳＤ型メモリカード挿入後の平面図である。
【図１０】本考案のＳＤ型メモリカード挿入後の側面断面図である。
【図１１】本考案のＸＤ型メモリカード挿入前の平面図である。
【図１２】本考案のＸＤ型メモリカード挿入前の側面断面図である。
【図１３】本考案のＸＤ型メモリカード挿入後の平面図である。
【図１４】本考案のＸＤ型メモリカード挿入後の側面断面図である。
【符号の説明】
【００１８】
１  絶縁ケース
１０  端子                    １１１  案内溝
１０１  接続端                １１１１  滑り溝
１０２  はんだ付け端          １１１２  案内柱
１１  座体                    １２  カバー板
１１０  収容空間              １２１  レール
２  スライドシート
２１  スライド面              ２４  第３当接面
２２  第１当接面              ２５  押動ブロック
２３  第２当接面              ２５１  凸柱
２６  バネ
３  メモリカード
３１  接点
【図１】
0003100718.tif 000003
【図２】
0003100718.tif 000004
【図３】
0003100718.tif 000005
【図４】
0003100718.tif 000006
【図５】
0003100718.tif 000007
【図６】
0003100718.tif 000008
【図７】
0003100718.tif 000009
【図８】
0003100718.tif 000010
【図９】
0003100718.tif 000011
【図１０】
0003100718.tif 000012
【図１１】
0003100718.tif 000013
【図１２】
0003100718.tif 000014
【図１３】
0003100718.tif 000015
【図１４】
0003100718.tif 000016